(57)【要約】  インターネットＩＰプロトコルに基づく通信ネットワーク以外の第１の通信ネットワークを介してヘッドエンド１２から加入者にブロードキャストされる第１のデジタルデータトランスポートストリームは、顧客デバイス１５において受信される、デジタルマルチメディアコンテンツを加入者にブロードキャストする方法と、第１の再伝送ユニット１５３から、インターネットＩＰプロトコルに基づく第２の通信ネットワーク１１を介して顧客デバイス１５に接続可能なサービスアプリケーションユニット１３に含まれる第２の再伝送ユニット１３２への、損失パケット申請メッセージの伝送と、第１のデータトランスポートストリームからの損失パケット申請メッセージに応じて、第１のデジタルデータトランスポートストリームから損失した少なくとも１つのパケットを備える第２のデジタルデータストリームの伝送。
2013527661.tif 000002
【特許請求の範囲】
【請求項１】
デジタルマルチメディアコンテンツを加入者にブロードキャストするための方法であって、
インターネットＩＰプロトコルに基づく通信ネットワーク以外の第１の通信ネットワークを介してヘッドエンド（１２）から加入者にブロードキャストされる第１のデジタルデータトランスポートストリームを顧客デバイス（１５）において受信するステップと、
デコーダユニット（１５２）により回復され、受信機（１６）に接続された第１のストレージユニット（１５４）に供給される番組を加入者視聴覚受信機（１６）において再生するステップとを備え、
第１のデータトランスポートストリームからの少なくとも１つのデータパケットの損失を顧客デバイス（１５）において検出したことに応答して、インターネットＩＰプロトコルに基づく第２の通信ネットワーク（１１）を介して顧客デバイス（１５）に接続可能なサービスアプリケーションユニット（１３）に含まれる第２の再伝送ユニット（１３２）にパケット損失申請メッセージを第１の再伝送ユニット（１５３）から伝送するステップと、
少なくとも１つの損失パケットを備える第２のデジタルデータストリームを第２の再伝送ユニット（１３２）から伝送するステップとをさらに備えることを特徴とする、方法。
【請求項２】
受信した第２のデータストリームからデコーダユニット（１５２）によって復号された、選択されたチャネルのコンテンツを視聴覚受信機（１６）において再生するステップをさらに備えることを特徴とする、請求項１に記載の方法。
【請求項３】
第１のトランスポートストリームによってトランスポートされた各トランスポートパケットの巡回カウンタＣＣの内容に基づくラベルを、第１の再伝送ユニット（１５３）を介して生成するステップをさらに備えることを特徴とする、請求項１に記載の方法。
【請求項４】
先行のステップで生成されたラベルを第２のストレージユニット（１５５）に格納するステップをさらに備えることを特徴とする、請求項３に記載の方法。
【請求項５】
第１のトランスポートストリームによってトランスポートされた各トランスポートパケットの巡回カウンタＣＣの内容に基づくラベルを第２の再伝送ユニット（１３２）によって生成するステップをさらに備えることを特徴とする、請求項１に記載の方法。
【請求項６】
第１の通信ネットワークを介してヘッドエンド（１２）からブロードキャストされた第１のデジタルデータトランスポートストリーム、および先行のステップで生成されたラベルを第３のストレージユニット（１３３）に格納するステップをさらに備えることを特徴とする、請求項５に記載の方法。
【請求項７】
第１のトランスポートストリームによって受信されトランスポートされたパケットのパケット化識別子を識別するたびに１単位ずつカウントを増加させる巡回カウンタＣＣを追跡することによって行なわれうる、パケットの損失を検出するステップをさらに備えることを特徴とする、請求項１に記載の方法。
【請求項８】
インターネットＩＰプロトコルに基づく通信ネットワーク以外の第１の通信ネットワークを介してヘッドエンド（１２）からブロードキャストされるデジタルデータの第１のストリームを受信する顧客デバイスであって、インターネットＩＰプロトコルに基づく第２の通信ネットワーク（１１）を介してパケット損失申請メッセージを第２の再伝送ユニット（１３２）に送信するように構成される第１の再伝送ユニット（１５３）を備えることを特徴とする顧客デバイス。
【請求項９】
第１の再伝送ユニット（１５３）が、第１のトランスポートストリームによってトランスポートされた各トランスポートパケットの巡回カウンタＣＣの内容に基づいてラベルを生成するように構成されることを特徴とする、請求項８に記載のデバイス。
【請求項１０】
第１の再伝送ユニット（１５３）が、生成されたラベルを第２のストレージユニット（１５５）に格納するように構成されることを特徴とする、請求項９に記載のデバイス。
【請求項１１】
サービスアプリケーションユニット（１３）に含まれる第３のストレージユニット（１３３）に格納された少なくとも１つの損失パケットを備えるデジタルデータの第２のストリームを受信するように構成されるデコーダ（１５２）を備えることを特徴とする、請求項８に記載のデバイス。
【請求項１２】
インターネットＩＰプロトコルに基づく通信ネットワーク以外の第１の通信ネットワークを介してヘッドエンド（１２）からブロードキャストされるデジタルデータの第１のストリームを受信するサービスアプリケーションユニットであって、インターネットＩＰプロトコルに基づく第２の通信ネットワーク（１１）を介して接続可能な顧客デバイス（１５）に含まれる第１の再伝送ユニット（１５３）からパケット損失申請メッセージを受信し、それに応答して第１のデータストリームから損失した少なくとも１つのパケットを備えるデジタルデータの第２のストリームを供給する第２の再伝送ユニット（１３２）を備えることを特徴とする、アプリケーションユニット。
【請求項１３】
第２の再伝送ユニット（１３２）が、第１のトランスポートストリームによってトランスポートされた各トランスポートパケットの巡回カウンタＣＣの内容に基づいてラベルを生成するように構成されることを特徴とする、請求項１２に記載のアプリケーションユニット。
【請求項１４】
第３のストレージユニット（１３３）が、第１の通信ネットワークを介してヘッドエンドからブロードキャストされたデジタルデータの第１のストリーム、および生成されたラベルを格納するように構成されることを特徴とする、請求項１３に記載のアプリケーションユニット。
【請求項１５】
第２の再伝送ユニット（１３２）が、第３の格納ユニット（１３３）に格納された少なくとも１つの損失パケットを備えるデジタルデータの第２のフローを生成するように構成されることを特徴とする、請求項１２に記載のアプリケーションユニット。
【請求項１６】
入出力ユニットおよび処理ユニットを備えるコンピュータの内部バッファにロードされうるコンピュータプログラムであって、第２の再伝送ユニットにおいて受信されたパケット損失申請メッセージに応答してデジタルマルチメディアコンテンツブロードキャストの、請求項１から７のいずれか一項に記載の方法のステップを実行して、損失した要求済みパケットの前の少なくとも１つのパケット、損失パケット自体、および損失パケットの後の１つのパケットを含む、顧客によって選択されたチャネルの番組に関連付けられている第２のデジタルデータストリームを供給するように構成された実行可能コードを備える、コンピュータプログラム。
【発明の詳細な説明】
【技術分野】
【０００１】
本発明は一般に、マルチメディアコンテンツを加入者にブロードキャストするための方法、およびその方法を実行するサービスアプリケーション媒体に関する。
【背景技術】
【０００２】
現在、ラジオおよびＴＶ信号デジタル情報サービス伝送または放送オペレータが、衛星、ケーブル、デジタル地上波などに基づくＴＶトランスポートネットワークを介してデジタルＴＶおよびラジオチャネルを、デジタルサービス放送システムの末端の加入者のグループにブロードキャストすることができることが知られている。
【０００３】
ラジオおよびＴＶサービスに関連する視聴覚コンテンツおよび情報は、ヘッドエンドにおいて生成または収集され、そこでそれらのコンテンツおよび情報は圧縮され、多重化されて、トランスポートネットワークに適合され、トランスポートネットワークがコンテンツおよび情報をエンドユーザに伝える。
【０００４】
したがって、ＭＰＥＧ、ＤＶＢ、およびＡＴＳＣのような規格に従うデジタルラジオおよびＴＶ信号の配信により、末端の顧客は、アナログＴＶサービスを介して提供される同等のＴＶサービスよりも一般に高い品質であるＴＶサービスにアクセスできるようになる。
【０００５】
しかし、ヘッドエンドから受信されたデジタルデータストリームから顧客デバイスで回復または復号されたストリームの品質が、所定の品質しきい値に達しない場合、その結果はアナログシステムにおける同等の状況よりもさらに悪くなる。すなわち、顧客デバイスのデコーダが受信したデータトランスポートストリームを復号できない場合および／または顧客デバイスデコーダによってトランスポートストリームのデータパケットの一部が受信されない結果として不完全な復号化ストリームを供給する場合、顧客デバイスに接続された視聴覚受信機は歪み信号の画面、ブラック画面、または信号のない画面を表示する。
【０００６】
上記の欠点は、たとえばケーブル経由、衛星および地上波経由のような、あらゆる種類の放送技術に影響を及ぼし、特に地上デジタルテレビジョン（ＤＴＴ：ｄｉｇｉｔａｌ  ｔｅｒｒｅｓｔｒｉａｌ  ｔｅｌｅｖｉｓｉｏｎ）の放送の場合には、それが顕著になる。
【０００７】
本明細書に引用のために含まれる米国特許出願公開第２０１０／００５００４２  Ａ１は、インターネットＩＰプロトコルベースの通信ネットワークを介するデジタルマルチメディアチャネル放送に関連付けられている損失および／または破損データパケットを処理するために順方向誤り訂正（ｆｏｒｗａｒｄ  ｅｒｒｏｒ  ｃｏｒｒｅｃｔｉｏｎ）の技術を再伝送の技術と結合するインターネットＩＰＴＶプロトコルに基づくＴＶ放送方法に言及する。
【０００８】
前述の方法において、末端の顧客は、ＩＰネットワークを介してデジタルマルチメディア視聴覚コンテンツを備えるチャネルを受信する。
【０００９】
しかし、前述の欠点は、視聴覚コンテンツがＩＰネットワーク以外のトランスポートネットワークを介してブロードキャストされる場合に、依然として解消および／または低減されてはおらず、このシナリオの場合、加入者の体験は、アナログＴＶ放送システムの加入者の体験よりも劣っている。
【先行技術文献】
【特許文献】
【００１０】
【特許文献１】米国特許出願公開第２０１０／００５００４２号明細書
【発明の概要】
【発明が解決しようとする課題】
【００１１】
本発明は、マルチメディアコンテンツを特許請求の範囲において定義されるように加入者に伝送するための方法を用いて、上記に説明される欠点の１つまたは複数を解決または縮小することを目的とする。
【課題を解決するための手段】
【００１２】
デジタルマルチメディアコンテンツを加入者にブロードキャストするための方法の１つの実施形態は、インターネットＩＰプロトコルに基づく通信ネットワーク以外の第１の通信ネットワークを介してヘッドエンドから加入者にブロードキャストされるデジタルデータの第１のトランスポートストリームの顧客デバイスにおける受信と、デコーダユニットにより回復され、受信機に接続された第１のストレージユニットに供給される番組の加入者視聴覚受信機における再生と、第１の通信ネットワークを介して受信された第１のストリームの１つまたは複数のパケットの損失の顧客デバイスにおける検出と、第１の再伝送ユニットから、インターネットＩＰプロトコルに基づく第２の通信ネットワークを介して顧客デバイスに接続可能なサービスアプリケーションユニットを備える第２の再伝送ユニットへの、パケット損失メッセージの伝送と、顧客デバイスによって受信された第１のデータトランスポートストリームのパケットのパケット損失申請メッセージに応じた、損失パケットを備える第２のデジタルデータストリームの伝送とを備える。
【００１３】
上記の事項とは無関係に、ヘッドエンドは、この同じ第１のデジタルデータストリームを、選択された第１のトランスポートネットワークを介してすべての顧客デバイスにブロードキャストし、さらに第３のストレージユニットを備えるサービスアプリケーション媒体にもブロードキャストして、第３のストレージユニットがヘッドエンドからブロードキャストされた第１のデジタルデータトランスポートストリームを格納するようにする。
【００１４】
デコーダユニットは、受信された第１のデジタルデータトランスポートストリームおよび第２のデータストリームを復号して選択されたチャネルのマルチメディアコンテンツまたは番組を回復し、それを第１のストレージユニットを介して加入者の視聴覚画面に供給する。
【００１５】
マルチメディアコンテンツがデジタル符号化されて、たとえばＭＰＥＧ２規格に従って生成されるデジタルデータストリームを形成するように、マルチメディアコンテンツは、トランスポートネットワーク経由のトランスポートのためにＭＰＥＧ２のような符号化規格に従って符号化される。
【００１６】
サーバが、ヘッドエンドからブロードキャストされた各々のチャネルの数秒を格納するのに十分なストレージ容量を有する必要があることにも留意されたい。
【００１７】
デコーダユニットは、ＭＰＥＧ２トランスポートパケットのヘッドエンドの巡回カウンタ（ＣＣ：ｃｏｎｔｉｎｕｉｔｙ  ｃｏｕｎｔｅｒ）を追跡することにより、パケットの損失を検出する。各巡回カウンタは、同じパケット化識別子（ＰＩＤ：ｐａｃｋｅｔｉｚｅｄ  ｉｄｅｎｔｉｆｉｅｒ）を含む連続パケットにつき、１単位ずつ増加される。ＭＰＥＧ２トランスポートストリームのパケット化識別子ＰＩＤの異なるタイプごとに、個別の巡回カウンタがある。
【００１８】
巡回カウンタの分解能は低い、すなわち４ビットまたは１６個の異なる値であるが、ＭＰＥＧ２ストリームのアクティブなパケット化識別子ＰＩＤのすべてについてそれらの値を並行追跡することで、十分な誤差の許容範囲をもって、受信したストリームすなわち第１のトランスポートストリームにおいてトランスポートパケットが欠如していることを確実に検出できる。
【００１９】
未受信パケットの再伝送を要求するため、再伝送サーバが要求されたパケットすなわち選択されたチャネルのコンテンツから欠落したパケットのみを送信するように、未受信パケットの前および後のパケットが識別される必要がある。
【００２０】
パケット識別ステップは、再伝送サーバに送信されたメッセージに、未受信データパケットの前および後のパケットのデジタル指紋が含まれるように、各ＭＰＥＧ２トランスポートパケットで実行される、ラベルまたはデジタル指紋を生成するメカニズムによって行なわれる。
【００２１】
本発明の実施形態によるデバイスおよび／または方法のさらに詳細な説明は、添付の図面に基づいて、後段の説明において示される。
【図面の簡単な説明】
【００２２】
【図１】ＴＶ放送システムを示す図である。
【図２】１つの実施形態を概略的に示すブロック図である。
【発明を実施するための形態】
【００２３】
図１は、ラジオおよびＴＶ信号デジタル情報サービス放送システムを示し、ここでＴＶおよびラジオヘッドエンド１２はさまざまなマルチメディアコンテンツプロバイダＣＮＮ、ＲＴＬなどの通信チャネルに関連付けられているさまざまなタイプのマルチメディア視聴覚コンテンツを受信して、それらのコンテンツがインターネットＩＰプロトコルベースのネットワーク以外の第１の通信ネットワークを介して第１のデジタルデータトランスポートストリームとしてエンドユーザまたは加入者にトランスポートされうるように、受信されたマルチメディア視聴覚コンテンツを圧縮および／または符号化し、多重化し、適合する。
【００２４】
ここで図２を参照すると、通信オペレータのヘッドエンド１２は、第１のデジタルデータトランスポートストリームを、単一方向モードで第１のトランスポートネットワークを介して多数の加入者にブロードキャストする。
【００２５】
ヘッドエンド１２により受信されたマルチメディア視聴覚コンテンツは、マルチメディアコンテンツがヘッドエンド１２によってデジタル符号化されて、選択された符号化規格に従って第１のデジタルデータストリームを生成してブロードキャストするように、選択された通信ネットワーク経由のトランスポートのために、たとえばＭＰＥＧ２ビデオまたはＨ．２６４などのオーディオ、ビデオ、およびデータの符号化規格に従って符号化される。
【００２６】
加入者は、たとえばセットトップボックスタイプのデコーダインターフェイスなどの顧客デバイス１５を用いて第１のデータトランスポートストリームを受信し、顧客デバイス１５は第１のブロードキャストトランスポートストリームを受信して、それをデコーダユニット１５２に転送する第１の入出力ユニット１５１を備え、デコーダユニット１５２が選択されたチャネルの復号化マルチメディア視聴覚コンテンツをマルチメディア視聴覚画面のような加入者受信機１６に供給するようにする。
【００２７】
デコーダインターフェイス１５はまた、第１のトランスポートストリームを受信するために第１の入出力ユニット１５１に接続されうる、さらにまた顧客デバイス１５のデコーダユニット１５２に接続されてもよい第１の顧客再伝送ユニット１５３を備える。
【００２８】
第１の入出力ユニット１５１は、第１のトランスポートストリームを、第１の再伝送ユニット１５３およびデコーダ１５２に並行して転送する。
【００２９】
次いで、第１の再伝送ユニット１５３は、インターネットＩＰプロトコルタイプの第２の通信ネットワーク１１を介してゲートウェイデバイス１４に接続され、サーバ１３に含まれる第２の入出力ユニット１３１を介して第２の再伝送ユニット１３２に接続された第１の入出力ユニット１５１を通じてサービスアプリケーション媒体１３またはサーバに接続されてもよい。
【００３０】
同様に、サーバ１３は、第２の入出力ユニット１３１を介してヘッドエンド１２からブロードキャストされた第１のデジタルデータトランスポートストリームを受信する。
【００３１】
第２の再伝送ユニット１３２は、ＴＶヘッドエンド１２からブロードキャストされた第１のトランスポートストリーム、および第２の入出力ユニット１３１を介して第１の再伝送ユニット１５３から送信された申請メッセージを受信するが、それぞれ異なるタイプのトランスポートネットワークを経由する。
【００３２】
サーバ１３はまた、特定の期間中、第１のトランスポートネットワークを介してヘッドエンド１２から末端の加入者およびサーバ１３にブロードキャストされたさまざまなチャネルの番組の各々の、たとえば符号化規格ＭＰＥＧ−２によるコンテンツまたは基本ストリームに対応する、第１のトランスポートストリームを格納するための、循環バッファタイプの第３のストレージユニット１３３を含む。
【００３３】
第３のストレージユニット１３３は、第１の通信ネットワークを介してヘッドエンド１２からブロードキャストされた第１のデジタルデータトランスポートストリームを格納して、サーバ１３により受信され、第３のバッファ１３３に格納された第１のデータストリームを介してトランスポートされたチャネルのさまざまなコンテンツに対応するデータパケットを識別するタスクを実行することができるようにする。
【００３４】
第１の再伝送ユニット１５３は、たとえばＭＰＥＧ２−ＴＳのタイプの第１のトランスポートストリームを受信する際、すべてのトランスポートストリームパケットが受信されており、その結果デコーダ１５２が受信された情報を、加入者受信機１６に供給されうるように再構築できることを確認するための制御および監視タスクを実行する。
【００３５】
ギャップまたはパケットの損失を検出する前述のタスクを実行するため、第１の再伝送ユニット１５３は、損失および／または破損パケット検出方法を実行するが、この方法は、巡回カウンタＣＣのカウントが第１のトランスポートストリームによりトランスポートされた先行のパケットに続くトランスポートパケットで１単位ずつ増加されるので、受信された各トランスポートパケットの巡回カウンタＣＣを追跡することによって行なわれてもよい。
【００３６】
したがって、トランスポートストリームが同じ番組コンポーネントのパケットをトランスポートする場合は常に、パケット化識別子ＰＩＤが、同じコンポーネントに対応する先行のパケットに関して１単位ずつ増加される。
【００３７】
したがって、第１の再伝送ユニット１５３は、各トランスポートパケットの巡回カウンタＣＣカウントの数値を追跡することにより、巡回カウンタのカウントに基づいてトランスポートストリームパケットが損失したかどうかを検出することができる。
【００３８】
したがって、第１の再伝送ユニット１５３はまた、トランスポートストリームの復号と並行して、巡回カウンタＣＣカウントの数値を追跡して、選択されたチャネルのすべてのコンテンツパケットに対応するすべてのパケット化識別子ＰＩＤの受信を制御する。
【００３９】
連続して受信され、同じ番組コンポーネントに対応する２つのトランスポートパケットの間の巡回カウンタＣＣカウントのジャンプまたはギャップは、トランスポートストリームパケットの損失を指示する。したがって、デコーダ１５２は、復号化コンテンツが第１のストレージユニット１５４から加入者受信機１６に供給される前にパケットが受信されない場合、不完全信号を加入者受信機１６に供給することができる。
【００４０】
少なくとも１つのパケットが受信されない前述のシナリオにおいて、第１の再伝送ユニット１５３は、検出された巡回カウンタＣＣカウントの数値を追跡することにより、選択されたチャネルに対応するコンテンツまたは番組の受信されていないパケットを決定することができる。連続して受信され、同じ番組コンポーネントに対応する２つのデータパケットの巡回カウンタにギャップが検出される場合、データパケットは受信されない。
【００４１】
巡回カウンタＣＣの監視に基づく損失パケットの制御は、カウンタ分解能が低いため、あまり正確または厳密なものではない。しかし、この監視が、異なる番組識別子ＰＩＤを持つすべての番組コンポーネントで並行して行なわれる場合、各番組は異なるパケット化識別子ＰＩＤを割り当てられ、これは検出の効果を大幅に高めて、第１のトランスポートストリームによりトランスポートされたパケットの損失の検出を、容易で迅速かつ単純なタスクにする。
【００４２】
第１の再伝送ユニット１５３がパケットの欠如を検出するシナリオにおいて、第１の再伝送ユニット１５３は、損失パケット申請メッセージを生成して第２の再伝送ユニット１３２に送信し、受信した申請メッセージに応答して第２の再伝送ユニット１３２は、第３のストレージユニット１３３から損失パケットを取り出して、それを第２のＩＰネットワーク１１を介して第１の再伝送ユニット１５３に送信し、次いで第１の再伝送ユニット１５３は、デコーダ１５２が第１のトランスポートネットワークを介して受信していない、受信機１６を介して加入者に示されている選択されたチャネルの番組に対応するパケットを復号できるように、損失パケットをデコーダ１５２に転送する。
【００４３】
第１の再伝送ユニット１５３は、ＭＰＥＧ２トランスポートパケットの場合に容易に実施されうるとともに非常に効率的であるデジタル指紋アルゴリズムタイプのＭＰＥＧ２トランスポートパケット識別方法を適用する。
【００４４】
第１の再伝送ユニットは、受信したパケットのバイト１から４から、パケット化識別子ＰＩＤ、巡回カウンタＣＣの数値、およびペイロードの第１ビットを抽出して、各ＭＰＥＧ２トランスポートパケットのラベルまたはデジタル指紋を生成する。
【００４５】
したがって、生成される各ＭＰＥＧ２トランスポートパケットに対応する前述のデジタル指紋は、１６ビットを備えるデジタル指紋がデコーダ１５２で受信された各ＭＰＥＧ２トランスポートパケットの良好な個々の識別子であるため、数分または数秒間第２のストレージユニット１５５に格納される。
【００４６】
パケットの第１バイトであるバイト０が、第１のデータストリームから受信された各パケットのラベルまたはデジタル指紋を生成するために使用されないことに留意されたい。
【００４７】
第１の再伝送ユニットは、巡回カウンタＣＣの数値にギャップを検出する場合、損失パケットの前に正しく受信された複数のパケットのデジタル指紋、および損失パケットの後に正しく受信された複数のパケットのデジタル指紋を備える申請メッセージを生成する。
【００４８】
同様に、第２の再伝送ユニット１３２は、第１の再伝送ユニット１５３によって使用された同じラベリングまたはデジタル指紋方法を使用して、ヘッドエンドから受信した各ＭＰＥＧ２トランスポートパケットを識別する。第２の再伝送ユニット１３２によって生成されたデジタル指紋は、第１のデータストリームと共に第３のストレージユニット１３３に格納される。
【００４９】
その結果、サーバ１３および顧客デバイス１５において受信された第１のストリームの各パケットは、ビットの短いシーケンスを備える単一のデジタル指紋識別子を割り当てられる。
【００５０】
第３のストレージユニット１３３が、ヘッドエンド１２からブロードキャストされた各々のチャネルの数秒または数分、および生成されたデジタル指紋を格納するのに十分なストレージ容量を有する必要があることに留意されたい。
【００５１】
第１の再伝送ユニット１５３は、パケットの損失を検出する場合、第２のストレージユニット１５５から損失パケットの前および後のパケットに対応する所定の数のデジタル指紋を取り出す。
【００５２】
次いで、第１の再伝送ユニット１５３は、取り出したデジタル指紋を使用して、第２の再伝送ユニット１３２に送信されるパケット損失申請メッセージを生成する。申請メッセージは、損失パケットの前および後の一部の識別子に対応する、ビットの２つの短いシーケンスを備える。
【００５３】
メッセージが第２の再伝送ユニット１３２によって受信されると、第２の再伝送ユニット１３２は申請メッセージで受信されたラベルに基づいて損失パケットを探索し、第３のバッファ１３３から損失パケットを抽出して、それらの同じパケットで、ＩＰネットワーク１１で確立された通信チャネル上の第１の再伝送ユニット１５３にＩＰネットワーク１１を介して送信される第２のデータストリームを生成する。
【００５４】
要約すると、サーバ１３が損失パケットを含む第２のデータストリームを生成して、ユニキャストモードで、顧客デバイス１５の第１の入出力ユニット１５１とサーバ１３の第２の入出力ユニット１３１の間に確立された通信チャネルにより許容される最高ビットレートで第２のＩＰネットワーク１１を介して伝送するように、サブミットされた申請メッセージは、第２の再伝送ユニット１３２が申請メッセージで提供された情報に基づいて第１のトランスポートストリームの所定数のパケットを見つける処理を完了するように、第２の再伝送ユニット１３２に送信される。
【００５５】
第１の再伝送ユニット１５３は、第２のデータストリームを受信すると、それをデコーダ１５２に転送して、受信したパケットを復号できるようにし、完全な復号化コンテンツを第２のストレージユニット１５５から受信機１６に供給できるようにする。
【００５６】
デコーダ１５２が第２のデータストリームを復号して、それを、第１のバッファ１５４が一杯になって対応する復号化信号を受信機１６に供給する前に第１のバッファ１５４に供給するシナリオにおいて、加入者は、このシナリオで、受信機１６の信号のいかなる欠如も検出することはない。
【００５７】
第１の再伝送ユニットから第２のＩＰネットワーク上の第２の再伝送ユニットに要求されたデータトランスポートストリームのパケットの損失に関連する、マルチメディア視聴覚コンテンツブロードキャスト方法は、入出力ユニットおよびさらにプロセッサユニットを備えるコンピュータの内部バッファにロードされて、コンピュータにより実行されてもよい。
【００５８】
この目的のために、コンピュータプログラムは、コンピュータによって実行されるとき、前述の処理のステップを実行するように構成されたコードを備える。さらに、実行可能コードは、コンピュータ内の判読可能なキャリア媒体に記録されてもよい。
【図１】
2013527661.tif 000003
【図２】
2013527661.tif 000004
【国際調査報告】
2013527661.tif 000005
2013527661.tif 000006
2013527661.tif 000007